(57)【要約】      （修正有）【課題】床下に設置する本体の下部に防災用避難室を設け、掘ごたつやダイニングテーブル等を利用している人等が地震や台風、竜巻等の際に迅速に内部に避難することができ、しかも防災グッズも収納することができる防災用避難設備を提供する。【解決手段】床下に設けられ上方に開口した防災用避難室１３と、床面と防災用避難室とを仕切る仕切板１４と、前記床面の上方に配置したテーブル１６とを備えた防災用避難設備であって、前記テーブルは前記開口よりも十分に広い面積を有するとともに、前記仕切板を開閉自在としたことを特徴とする防災用避難設備。【選択図】図２
0003128058.tif 000002
【実用新案登録請求の範囲】
【請求項１】
床下に設けられ上方に開口した防災用避難室と、床面と防災用避難室とを仕切る仕切板と、前記床面の上方に配置したテーブルとを備えた防災用避難設備であって、前記テーブルは前記開口よりも十分に広い面積を有するとともに、前記仕切板を開閉自在としたことを特徴とする防災用避難設備。
【請求項２】
防災用避難室上部の仕切板を、折損可能としたことを特徴とする請求項１に記載の防災用避難設備。
【請求項３】
防災用避難室が、その下部もしくは側面に防災用品の収納庫を付設されていることを特徴とする請求項１または２に記載の防災用避難設備。
【考案の詳細な説明】
【技術分野】
【０００１】
この考案は、住宅等の床下に毀置する防災用避難設備に関するものである。
【背景技術】
【０００２】
従来の掘ごたつは、床下に設置した上方に開口した本体を備え、この本体の上端の周囲に框を固定し、この框の四隅に固定した脚スペーサの上に座卓の脚部を固定し、本体の上方に座卓を配置するものであった。
このような掘ごたつに付加価値を持たせたものとして、実開平４−５０３０４号公報（特許文献１参照）等の掘ごたつのように、足挿入部以外に収納庫を付設したものが提案されている。
【特許文献１】実開平４−５０３０４号公報
【考案の開示】
【考案が解決しようとする課題】
【０００３】
しかしながら、床下に放置する本体の内部は、座卓を使用しないときの座卓や他の物の収納場所として利用することができるものの、掘ごたつを利用している人等が地震や台風、竜巻等の際に内部に避難するようには作られていない。
【０００４】
この考案の目的は、床下に設置する本体の下部に防災用避難室を設け、掘ごたつやダイニングテーブル等を利用している人等が地震や台風、竜巻等の際に迅速に内部に避難することができ、しかも防災グッズも収納することができる防災用避難設備を提供することである。
【課題を解決するための手段】
【０００５】
そこでこの考案の防災用避難設備は、床下に設けられ上方に開口した防災用避難室と、床面と防災用避難室とを仕切る仕切板と、前記床面の上方に配置したテーブルとを備えた防災用避難設備であって、前記テーブルは前記開口よりも十分に広い面積を有するとともに、前記仕切板を開閉自在としたことを特徴としている。
【０００６】
この考案の防災用避難設備は、前記防災用避難室上部の仕切板を、折損可能としたことをも特徴としている。
【０００７】
この考案の防災用避難設備は、前記防災用避難室が、その下部もしくは側面に防災用品の収納庫を付設されていることをも特徴としている。
【考案の効果】
【０００８】
この考案は以上のように、床下に防災用避難室を設けたので、掘ごたつやダイニングテーブル等を利用している人等が地震や台風、竜巻等が発生した際に迅速に内部に避難することができ、しかも防災グッズも収納することができる防災用避難設備を提供することが可能となった。
【考案を実施するための最良の形態】
【０００９】
以下この考案の防災用避難設備の実施の形態を図面に基いて詳細に説明する。
図１はこの考案の防災用避難設備の１実施例を示す断面図、図２はその使用状態を示す断面図、図３はこの考案の防災用避難設備の他の実施例を示す断面図、図４は地震等により上屋が倒壊した状態の断面図である。
【００１０】
＜掘ごたつへの適用例＞
図１および図２に示す第１の実施例において、掘ごたつの本体１１は、床下に設けられていて上方に開口した中空構造をなしており、その内部には足挿入部１２およびその下部に形成した防災用避難室１３が形成されている。足挿入部１２と防災用避難室１３との仕切りは、仕切板１４によって行っており、この仕切板１４は防災用避難室１３と足挿入部１２との間の段差１５上に搭載されており、かつ段差１５上に取付け取外し可能となっている。この仕切板１４は複数枚で構成し、蛇腹状に折畳みできるようにすることが望ましい。
仕切板１４の素材としてはＦＲＰやアルミ等の強度を備えるとともに、軽量であるものが望ましい。
【００１１】
１６は、前記足挿入部１２の上方に配置した座卓であって、前記仕切板１４に設けた凹部１７にはめ込んで固定される脚１８によって仕切板１４上に搭載されている。この座卓１６の大きさは本体１１の外周よりも大きいサイズにしてあるので、前記本体１１上部の開口を安全に閉鎖することができる。
【００１２】
この実施例の防災用避難設備は、前記防災用避難室１３が、足を伸ばして座れる面積としてある。こうすることによって、避難が長時間にわたった場合でも、体にあまり負担を掛けないで持ちこたえることができる。
前記防災用避難室１３の床面や内壁は木質系の素材、例えば間伐材２０で内装しておけだ、温かみのある空間とすることができる。
【００１３】
図３および図４に示す他の実施例において、防災用避難設備は、前記本体３１内の下部に設けた防災用避難室３２が、その下部に開閉自在の床板３３を介して防災用品の収納庫３４を付設されている。このように防災用避難室３３の下部に防災用品の収納庫３４を設けておけば、避難が長時間にわたっても持ちこたえることが可能となる。
もちろんこの防災用品の収納庫３４は、防災用避難室３３の下部のみならず、その側面に設けることができる。
【００１４】
このように構成した掘ごたつは、図２や図３に示すように仕切材１４、３５で防災用避難室１３、３３と足挿入部３６とに仕切った状態で、足挿入用として使用することができる。
また、図２〜図４のように、地震や台風、竜巻等が発生した際には仕切板１４、３５を開けて、迅速に防災用避難室１３、３３内部に避難することができ、しかも、床板３３を開けて収納庫３４から適宜収納物の出し入れを行い、避難の状態を長時間にわたって耐えることができる。
【００１５】
なお、図４は地震で家屋の屋根が崩壊した状態を示すもので、そのような場合にも、座卓１６の大きさは本体１１の開口よりも大きいサイズにしてあるので本体１１の開口をふさぐ状態となり、防災用避難室１３、３３内の安全を確保することができる。
【００１６】
＜ダイニングへの適用例＞
上記実施例においてはこの考案を掘ごたつに適用した場合について説明したが、ダイニング等のテーブルの設置されている部屋であればどこにでも設置することができる。例えばダイニングルーム（キッチン）に設置したダイニングテーブルの下に防災用避難室を設けることができる。
【産業上の利用可能性】
【００１７】
この考案の防災用避難設備は、堀ごたつのみならずダイニングルームやその他テーブルのある個所であればどこにでも設置することができる。
もちろん、物品収納庫と併設したり、防災用避難室の大きさを寝室のようなサイズにしたりすることが可能である。
【図面の簡単な説明】
【００１８】
【図１】この考案の防災用避難設備の１実施例を示す断面図である。
【図２】その使用状態を示す断面図である。
【図３】この考案の防災用避難設備の他の実施例を示す断面図である。
【図４】地震等により上屋が倒壊した状態の断面図である。
【符号の説明】
【００１９】
１１  本体
１２  足挿入部
１３  防災用避難室
１４  仕切板
１５  段差
１６  座卓
１７  凹部
１８  脚
２０  間伐材
３１  本体
３２  防災用避難室
３３  床板
３４  防災用品の収納庫
３５  仕切材
３６  足挿入部
【図１】
0003128058.tif 000003
【図２】
0003128058.tif 000004
【図３】
0003128058.tif 000005
【図４】
0003128058.tif 000006